(57)【特許請求の範囲】
【請求項１】
インドアスポーツシューズのソール構造であって、
軟質弾性部材製のソール本体と、
前記ソール本体の足裏当接側の面において足指に対応する位置に埋設され、その上面が前記足裏当接側の面と面一であるプレート状部材とを備え、
前記プレート状部材が、前記ソール本体よりも高硬度で４５〜７５Ｄの硬度を有する熱可塑性または熱硬化性の樹脂から構成されるとともに、
前記プレート状部材が、第１足指に対応する位置に配置された第１のプレート状部材と、第２ないし第４足指に対応する位置に配置された第２のプレート状部材とから構成されており、前記第１および第２のプレート状部材が一体に設けられている、
ことを特徴とするインドアスポーツシューズのソール構造。
【請求項２】
請求項１において、
前記第１および第２のプレート状部材が、第１足指ないし第４足指末節骨の直下に対応する位置に配置されている、
ことを特徴とするインドアスポーツシューズのソール構造。
【請求項３】
請求項１または２において、
前記第１および第２のプレート状部材が、足指に沿って実質的に足幅方向に延在するとともに、足長方向の長さが短い狭小部を介して連設されている、
ことを特徴とするインドアスポーツシューズのソール構造。
【請求項４】
請求項１において、
前記第１および第２のプレート状部材が、間隙を隔てて配置され、それぞれ前記ソール本体の外周縁部まで延設されるとともに、当該外周縁部において上方に立ち上がる立壁部を介して連設されている、
ことを特徴とするインドアスポーツシューズのソール構造。
【請求項５】
請求項４において、
前記立壁部がトウガードとして機能している、
ことを特徴とするインドアスポーツシューズのソール構造。
【請求項６】
請求項１ないし５のいずれかにおいて、
前記ソール本体の中足部の剛性に関し、当該ソール本体の前足部内甲側〜踵部外甲側間における中足部剛性の方が、前足部外甲側〜踵部内甲側間における中足部剛性よりも低くなっている、
ことを特徴とするインドアスポーツシューズのソール構造。
【発明の詳細な説明】
【技術分野】
【０００１】
本発明は、スポーツシューズのソール構造に関し、詳細には、スポーツシューズとして運動時の加速力を増大でき、俊敏な動きを可能にするための構造の改良に関する。
【背景技術】
【０００２】
スポーツシューズのソール構造として、例えば特許第３２１５６６４号公報に示すようなものが本願出願人により提案されている。同公報に示すものでは、軟質弾性部材製のミッドソールの内部に波形シートを介在させるとともに、波形シートをミッドソールの踵部から中足部をへて前足部の拇指球部近傍まで延設したことにより、着地後においてミッドソールの踵部から中足部にかけての領域での横振れを防止して、走行時の安定性が確保されるようになっている（同公報の段落［００９１］ならびに図５ないし図７参照）。
【発明の概要】
【発明が解決しようとする課題】
【０００３】
上記公報に記載したスポーツシューズにおいては、ミッドソールの中足部から前足部の拇指球部近傍にかけての領域に波形シートを介在させたことで、運動時に前足部で着地した際に或る程度反発力をアップさせることは可能であるが、十分ではなかった。例えば、バレーボールやハンドボール等のインドアスポーツにおいて、運動時の加速力をより増大させ、より俊敏な動きを実現したいとする要請に十分に対応していなかった。
【０００４】
本発明は、このような従来の実情に鑑みてなされたもので、本発明が解決しようとする課題は、運動時の加速力を増大でき、俊敏な動きを実現できるスポーツシューズのソール構造を提供することにある。
【課題を解決するための手段】
【０００５】
本発明に係るスポーツシューズのソール構造は、軟質弾性部材製のソール本体と、ソール本体の足裏当接側の面において足指に対応する位置に埋設され、その上面が足裏当接側の面と面一であるプレート状部材とを備えている。プレート状部材は、ソール本体よりも高硬度で４５〜７５Ｄの硬度を有する熱可塑性または熱硬化性の樹脂から構成されている。プレート状部材は、第１足指に対応する位置に配置された第１のプレート状部材と、第２ないし第４足指に対応する位置に配置された第２のプレート状部材とから構成されており、第１および第２のプレート状部材が一体に設けられている（請求項１参照）。
【０００６】
本発明によれば、ソール本体の足裏当接側の面において足指に対応する位置に、ソール本体よりも高硬度のプレート状部材を設けたので、運動時において足指からソール本体に荷重が作用したとき、当該荷重は硬いプレート状部材を介して軟らかいソール本体に作用する。このとき、足指からの荷重が直接ソール本体に作用することにより軟らかいソール本体が局所的に変形して当該荷重がソール本体に吸収される場合に比べて、足指からの荷重が硬いプレート状部材を介してソール本体に作用することでソール本体の局所的な変形を抑制でき、足指からの荷重がソール本体に吸収されるのを防止できる。これにより、大きな反発力を得ることができるので、運動時の加速力を増大でき、その結果、俊敏な動きを実現できる（例えば爪先での蹴り出し動作を必要とするダッシュ、サイドステップひいてはジャンプ動作に素早く移行できる）ようになる。
【０００７】
本発明では、第１および第２のプレート状部材が第１足指ないし第４足指末節骨の直下に対応する位置に配置されている（請求項２参照）。この場合には、蹴り出し時の荷重を効率よくプレート状部材に伝えることができる。
【０００８】
本発明では、第１および第２のプレート状部材が足指に沿って実質的に足幅方向に延在するとともに、足長方向の長さが短い狭小部を介して連設されている（請求項３参照）。この場合には、狭小部を挟んで第１のプレート状部材および第２のプレート状部材が足幅方向に相互に屈曲しやすくなるので、第１足指側で蹴り出す場合および第４足指側で蹴り出す場合のいずれの場合にも、スムーズに荷重（厳密には足圧中心）を移動させることができる。これにより、運動時の加速力の増大による俊敏な動きを実現しつつ、第１足指側で蹴り出す場合および第４足指側で蹴り出す場合の双方の場合において、足圧中心の移動をスムーズに行えるようになる。
【０００９】
本発明では、第１および第２のプレート状部材が、間隙を隔てて配置され、それぞれソール本体の外周縁部まで延設されるとともに、外周縁部において上方に立ち上がる立壁部を介して連設されている（請求項４参照）。この場合には、間隙を挟んで第１のプレート状部材および第２のプレート状部材が足幅方向に相互に一層屈曲しやすくなるので、第１足指側で蹴り出す場合および第４足指側で蹴り出す場合のいずれの場合にも、よりスムーズに荷重（厳密には足圧中心）を移動させることができる。これにより、運動時の加速力の増大による俊敏な動きを実現しつつ、第１足指側で蹴り出す場合および第４足指側で蹴り出す場合の双方の場合において、足圧中心の移動をスムーズに行えるようになる。また、蹴り出し時の足のぶれを立壁部により防止できる。
【００１０】
本発明では、立壁部がトウガードとして機能している（請求項５参照）。
【００１１】
本発明では、ソール本体の中足部の剛性に関し、ソール本体の前足部内甲側〜踵部外甲側間における中足部剛性の方が、前足部外甲側〜踵部内甲側間における中足部剛性よりも低くなっている（請求項６参照）。
【００１２】
この場合には、ソール本体の中足部が回内を起こしやすい構造を有しているので、運動時の回内を助長して、運動時に荷重がソール本体の前足部の拇指球部側に集まりやすくなる。これにより、拇指球部側への荷重（厳密には足圧中心）移動をスムーズに行うことができ、その結果、足指側のプレート状部材にスムーズに足圧中心を移動させることができる。このようにして、運動時の加速力をより一層増大させることができるので、より俊敏な動きを実現できるようになる。
【発明の効果】
【００１５】
以上のように、本発明によれば、ソール本体の足裏当接側の面において足指に対応する位置に、ソール本体よりも高硬度のプレート状部材を設けたことにより、運動時において足指からソール本体に荷重が作用したとき、当該荷重は硬いプレート状部材を介して軟らかいソール本体に作用する。このとき、足指からの荷重が直接ソール本体に作用して当該荷重が軟らかいソール本体で吸収分散される場合に比べて、足指からの荷重が硬いプレート状部材を介してソール本体に作用することで足指からの荷重がソール本体に吸収分散されるのを防止できる。これにより、大きな反発力を得ることができるので、運動時の加速力を増大でき、その結果、俊敏な動きを実現できるようになる。
【図面の簡単な説明】
【００１６】
【図１】本発明の第１の実施例によるスポーツシューズ用ソール構造の平面概略図である。
【図２】前記ソール構造（図１）と足の骨格構造との位置関係を示す平面概略図である。
【図３】前記ソール構造（図１）の縦断面図である。
【図４】前記ソール構造（図１）の底面概略図である。
【図５】図４のV-V線断面図である。
【図６】図４のVI矢視図である。
【図７】バレーボールにおいてスパイク時のジャンプに移行する際の足の動きを説明するための図である。
【図８】前記ソール構造（図１）を採用したシューズを着用してジャンプに移行する際の足圧分布を示す図である。
【図９】従来のシューズを着用してジャンプに移行する際の足圧分布を示す図である。
【図１０】本発明の作用効果をコンピュータシミュレーションにより検証するためのモデル図である。
【図１１】前記コンピュータシミュレーション（図１０）による検証結果を示すグラフである。
【図１２】本発明の第２の実施例によるスポーツシューズ用ソール構造の平面概略図である。
【図１３】前記ソール構造（図１２）と足の骨格構造との位置関係を示す平面概略図である。
【発明を実施するための形態】
【００１７】
以下、本発明の実施例を添付図面に基づいて説明する。
＜第１の実施例＞
図１ないし図６は、本発明の第１の実施例によるスポーツシューズ用ソール構造を説明するための図である。ここでは、スポーツシューズとして、バレーボールやハンドボール等のインドアスポーツに用いられるインドアシューズを例にとる。
【００１８】
図１ないし図３に示すように、本実施例によるソール構造体１は、ソール本体２を有している。ソール本体２は、着用者の足の踵部領域、中足部領域および前足部領域にそれぞれ対応する踵部領域Ｈ、中足部領域Ｍおよび前足部領域Ｆを有しており、踵部領域Ｈから中足部領域Ｍをへて前足部領域Ｆまで前後方向に延設されている。ソール本体２は、着用者の足裏当接側に配置される足裏当接側面２Ａを有している。
【００１９】
ソール本体２の足裏当接側面２Ａには、その外周縁部に沿って上方（図１、図２紙面手前側および図３右方）に立ち上がる巻上げ部２Ｂがほぼ全周にわたって形成されている（図３では内甲側の巻上げ部のみ図示）。巻上げ部２Ｂの内側面および足裏当接側面２Ａには、スポーツシューズのアッパーＵの下部外側面が固着されるようになっている（図３、図５参照）。
【００２０】
ソール本体２は、軟質弾性部材から構成されており、具体的には、エチレン−酢酸ビニル共重合体（ＥＶＡ）等の熱可塑性樹脂やその発泡体、ポリウレタン（ＰＵ）等の熱硬化性樹脂やその発泡体、またはブタジエンラバーやクロロプレンラバー等のラバー素材やその発泡体から構成されている。ソール本体２の硬度は、例えば４５〜７５Ｃ（アスカーＣスケール）に設定されている。本実施例では、ソール本体２としてＥＶＡの発泡体が用いられており、その硬度は５５Ｃ（許容誤差±４Ｃ）に設定されている。
【００２１】
ソール本体２の足裏当接側面２Ａにおいて足指に対応する位置には、プレート状部材３が設けられている。プレート状部材３は、好ましくは、足裏当接側面２Ａに埋設されており、その上面は足裏当接側面２Ａと面一になっている。プレート状部材３は、図１および図２に示すように、足指に沿って実質的に足幅方向（図２左右方向）に延在しつつ孤状に延びる薄肉の部材であって、第１足指に対応する位置に配置された第１のプレート状部３Ａと、第２ないし第４足指に対応する位置に配置された第２のプレート状部３Ｂと、これらの間（つまり第１足指と第２ないし第４足指との間の領域）において足長方向（図１、図２上下方向）の長さが短くなっている狭小部３Ｃとから構成されている。
【００２２】
より詳細には、図２に示すように、第１のプレート状部３Ａは、第１足指末節骨ＤＰ１の直下に対応する位置に配置され、第２のプレート状部３Ｂは、第２足指ないし第４足指末節骨ＤＰ２〜ＤＰ４の直下に対応する位置に配置されている。なお、図２中、ＭＰは中足趾節関節を示しており、プレート状部材３は、中足趾節関節ＭＰとはオーバラップしていない。
【００２３】
プレート状部材３は、ソール本体２よりも高硬度の硬質弾性部材から構成されており、具体的には、エチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材から構成されている。プレート状部材３の硬度は、当該プレート状部材３が樹脂素材の場合には、４５〜７５Ｄ（アスカーＤスケール）に設定され、ラバー素材の場合には、６０〜８０Ａ（アスカーＡスケール）に設定されている。本実施例では、プレート状部材３として硬質ＥＶＡシートが用いられ、その硬度は８０Ａ（許容誤差±３Ａ）に設定されており、ソール本体２の硬度５５Ｃよりも高くなっている。
【００２４】
ソール本体２の下方には、図３および図４に示すように、アウトソール４、５が配設されている。アウトソール４は、ソール本体２の主に前足部領域Ｆに配置され、アウトソール５はソール本体２の主に踵部領域Ｈに配置されている。アウトソール４の下面４Ａにおいて足の拇指球部に対応する部分には、クッションパッド４０が設けられている。クッションパッド４０は、拇指球部を衝撃から保護するクッション機能を有しかつ運動時のエネルギーロスを抑制する機能を有する部材である。クッションパッド４０は、本実施例では、エチレン−酢酸ビニル共重合体（ＥＶＡ）から構成されており、その硬度は４８Ｃ（許容誤差±４Ｃ）に設定されている。また、ソール本体２の中足部領域Ｍには、当該ソール本体２を上下に貫通する通気孔２０が形成されている。
【００２５】
ソール本体２の下方において、当該ソール本体２の踵部領域Ｈから中足部領域Ｍにかけての領域には、図３ないし図５に示すように、前後方向に進む波形状を有する波形プレート６が配設されている。波形プレート６は、ソール本体２の踵部領域Ｈから中足部領域Ｍの後部にかけての領域においては、ソール本体２とアウトソール５との間で挟持されており、中足部領域Ｍの前部においては、ソール本体２とアウトソール４との間で挟持されている。
【００２６】
波形プレート６は、好ましくは硬質弾性部材から構成されており、具体的には、熱可塑性ポリウレタン（ＴＰＵ）やポリアミドエラストマー（ＰＡＥ）、ＡＢＳ樹脂等の熱可塑性樹脂、またはエポキシ樹脂等や不飽和ポリエステル樹脂等の熱硬化性樹脂から構成されている。なお、炭素繊維やアラミド繊維、ガラス繊維等を強化用繊維とし、熱硬化性樹脂や熱可塑性樹脂をマトリックス樹脂とした繊維強化プラスチック（ＦＲＰ）から構成するようにしてもよい。
【００２７】
波形プレート６は、図４および図５に示すように、ソール本体２の中足部領域Ｍにおいて、上方に逆Ｖ字状（または逆Ｕ字状）に屈曲するリブ６０を有している。リブ６０は、中足部領域Ｍにおいて、幅方向略中央の位置から前方にいくにしたがい外甲側に向かって斜め前方に延びている。
【００２８】
波形プレート６にリブ６０を形成したことにより、ソール本体２の中足部領域Ｍの剛性に関し、ソール本体２の前足部内甲側〜踵部外甲側間における中足部剛性の方が、前足部外甲側〜踵部内甲側間における中足部剛性よりも低くなっており、ソール本体２の中足部領域Ｍが回内を起こしやすくなっている。さらに、ソール本体２の中足部領域Ｍの剛性に関し、ソール本体２の前足部内甲側〜踵部内甲側間における中足部剛性の方が、前足部外甲側〜踵部外甲側間における中足部剛性よりも低くなっている。これにより、ソール本体２の中足部領域Ｍが回内をさらに起こしやすくなっている。
【００２９】
ソール本体２の足裏当接側面２Ａにおいて、爪先部分には、トウガード７が設けられている。トウガード７は、上方に立ち上がりつつ、爪先部に沿って円弧状に延びている。トウガード７は、足裏当接側面２Ａの上に接着するための接着しろを有する張出部７Ａ、７Ｂを有している。張出部７Ａ、７Ｂは、ソール本体２の内甲側、外甲側にそれぞれ配置されている。
【００３０】
トウガード７は、例えば熱可塑性ポリウレタンやナイロンなどの熱可塑性樹脂を含む硬質素材から構成されている。図６に示すように、トウガード７の前側面において内甲側部分および外甲側部分には、それぞれ防滑部７０、７１が設けられている。これらの防滑部７０、７１は、例えばラバーや熱可塑性エラストマーなどのグリップ性を有する素材から構成されている。
【００３１】
次に、本実施例の作用効果について検証するために、本実施例によるソール構造体１を備えたバレーボールシューズを用意し、これをプロのバレーボール選手に履いてもらって実際にスパイクをしてもらい、このときの足圧分布と荷重（足圧中心）移動経路を測定した。シューズには、予め足圧測定用のセンサが貼り付けられたソックライナー（インソール）を装着しておいた。また、比較のために、選手には従来のバレーボールシューズを履いてもらって同様にスパイクをしてもらい、そのときの足圧分布と荷重（足圧中心）移動経路についても測定した。
【００３２】
図７は、スパイクを行うときの選手の右足（Ｒ）および左足（Ｌ）のそれぞれの足の動きを説明するための図であって、同図中、矢印ａ、ｂは各足の移動方向を示している。図７中のグレーで着色された位置の右足について足圧分布および荷重（足圧中心）移動経路を測定した。測定結果を図８および図９に示す。
【００３３】
図８は、本実施例によるソール構造体１を備えたバレーボールシューズについての測定結果を示しており、図９は、従来のバレーボールシューズについての測定結果を示している。各図中、色の濃い個所ほど足圧が高いことを示しており、また、白抜きの小さな四角形が足圧中心を示している。
【００３４】
図８および図９のいずれの場合においても、前足部領域における足圧が高くなっているが、両図を比較すると分かるように、本実施例によるシューズの場合には、足圧の高い個所が、足の拇指球部領域の全体にわたって広く分布するとともに、第１足指（とりわけ第１足指末節骨）の直下の領域のみならず第２足指（とりわけ第２足指末節骨）の直下の領域にまで広く分布している。また、本実施例によるシューズの場合には、前足部領域に至る荷重移動経路がより内方（図８左方）に向かって、つまり拇指球部側に向かって移動していることが分かる。
【００３５】
以上のことから、本実施例によるソール構造体１においては、運動時の足圧が前足部領域にスムーズに集められており、前足部領域への足圧移動が迅速に行われている。これは、波形プレート６にリブ６０を形成したことにより、ソール本体２の中足部領域Ｍが回内を起こしやすくなっていることに起因していると考えられる。また、足指（とりわけ第１および第２足指）に対する床反力が増大している。これは、高硬度のプレート状部材３をソール本体２の足裏当接側面２Ａに設置したことによるものと考えられる。このように床反力が増大することで、運動時の加速力を増大でき、これにより、例えば、爪先での蹴り出し動作を必要とするダッシュ、サイドステップひいてはジャンプ動作などに素早く移行でき、俊敏な動きを実現できるようになる。
【００３６】
次に、本実施例によるソール構造体１において、とくにプレート状部材単体の作用効果について検証するために、コンピュータシミュレーションによる実験を行った。図１０はコンピュータシミュレーションのモデル図であり、図１１は当該コンピュータシミュレーションによる検証結果を示すグラフである。
【００３７】
図１０に示すように、構造体Ａは、上から順に、スポンジＳＰ（インソールに相当）、プレートＰＬ（プレート状部材に相当）、ソールＭＳおよびアウトソールＯＳを積層することにより構成されている。プレートＰＬの硬度（６０Ｄ：アスカーＤスケール）は、ソールＭの硬度（５５Ｃ：アスカーＣスケール）よりも高く設定されている。構造体Ａの６０ｍｍ上方から重さ１０ｋｇの錘Ｗを落下させて構造体Ａに衝突させ、衝突後に跳ね返る錘Ｗの上向きの速度を算出した。その算出結果を図１１中の本発明品に示す。同図には、プレートＰＬがない構造体Ａ（従来品に相当）について同様の実験を行った結果も併せて示されている。
【００３８】
図１１から分かるように、従来品についての錘Ｗの反発速度を１００とするとき、本発明品についての錘Ｗの反発速度は１０５となっており、従来比で５％増加している。このことから、本実施例によるソール構造体１において、プレート状部材３をソール本体２の上に配置したことで、荷重作用時の反発力を増大できることが検証できた。
【００３９】
プレート状部材３は、ソール本体２の足裏当接側面２Ａにおいて足指に対応する位置に配置されているので、運動時において足指からソール本体２に荷重が作用したとき、足指からの荷重がプレート状部材３を介さずにそのままソール本体２に作用する場合に比べて、大きな反発力を得ることができる。これにより、運動時の加速力を増大でき、その結果、例えば、爪先での蹴り出し動作を必要とするダッシュ、サイドステップひいてはジャンプ動作などに素早く移行でき、俊敏な動きを実現できるようになるのである。その一方、プレート状部材３は中足趾節関節ＭＰとオーバラップしていないので（図２参照）、中足趾節関節ＭＰおよびその周辺領域においては、着地時のクッション性が確保されている。
【００４０】
さらに、本実施例によれば、プレート状部材３が第１足指ないし第４足指末節骨ＤＰ１〜ＤＰ４の直下に対応する位置に配置されているので、蹴り出し時の荷重を効率よくプレート状部材３に伝えることができる。
【００４１】
本実施例によれば、プレート状部材３が、第１のプレート状部３Ａと第２のプレート状部３Ｂとの間（つまり第１足指と第２ないし第４足指との間の領域）に狭小部３Ｃを有しているので、第１足指および第２足指の間に対応する領域を挟んで第１足指側の領域および第２足指側の領域が足幅方向に相互に屈曲しやすくなっている。これにより、第１足指側で蹴り出す場合および第４足指側で蹴り出す場合のいずれの場合にも、スムーズに荷重（足圧中心）を移動させることができる。これにより、運動時の加速力の増大による俊敏な動きを実現しつつ、第１足指側で蹴り出す場合および第４足指側で蹴り出す場合の双方の場合において、足圧中心の移動をスムーズに行えるようになる。
に行えるようになる。
【００４２】
本実施例によれば、トウガード７が設けられていることにより、蹴り出し時の足のぶれをトウガード７により防止できる。
【００４３】
＜第２の実施例＞
図１２および図１３は、本発明の第２の実施例によるスポーツシューズ用ソール構造を説明するための図である。これらの図において、前記第１の実施例と同一符号は同一または相当部分を示している。
【００４４】
この第２の実施例では、トウガード７の各張出部７Ａ’、７Ｂ’が前記第１の実施例における各張出部７Ａ、７Ｂよりもさらに内側に大きく張り出しており、プレート状部材３が設けられていない点が前記第１の実施例と異なっている。この場合、張出部７Ａ’が前記第１の実施例における第１のプレート状部３Ａに相当し、張出部７Ｂ’が前記第１の実施例における第２のプレート状部３Ｂに相当している。また、前記第１の実施例における狭小部３Ｃに相当するものは設けられておらず、各張出部７Ａ’、７Ｂ’の間には、間隙が形成されている。
【００４５】
別の言い方をすれば、この第２の実施例においては、第１、第２のプレート状部７Ａ’、７Ｂ’がソール本体２の外周縁部まで延設されるとともに、当該外周縁部において上方に立ち上がる立壁部７を有しており、当該立壁部７がトウガードとして機能している。  
【００４６】
第２の実施例によれば、各張出部７Ａ’、７Ｂ’の間の間隙を挟んで、第１足指側の領域および第２ないし第４足指側の領域が足幅方向に相互に屈曲しやすくなっており、これにより、第１足指側で蹴り出す場合および第４足指側で蹴り出す場合のいずれの場合にも、スムーズに荷重（足圧中心）を移動させることができる。これにより、運動時の加速力の増大による俊敏な動きを実現しつつ、第１足指側で蹴り出す場合および第４足指側で蹴り出す場合の双方の場合において、足圧中心の移動をスムーズに行えるようになる。
【００４７】
また、第２の実施例によれば、前記第１の実施例における第１、第２のプレート状部３Ａ、３Ｂにそれぞれ対応する張出部７Ａ’、７Ｂ’が、ソール本体２の足裏当接側面２Ａにおいて足指に対応する位置に配置されているので、前記第１の実施例と同様に、運動時において足指からソール本体２に荷重が作用したとき、足指からの荷重がソール本体２に直接作用する場合に比べて、大きな反発力を得ることができる。これにより、運動時の加速力を増大でき、その結果、例えば、爪先での蹴り出し動作を必要とするダッシュ、サイドステップひいてはジャンプ動作などに素早く移行でき、俊敏な動きを実現できる。
【００４８】
第２の実施例によれば、前記第１の実施例におけるプレート状部材３として機能する張出部７Ａ’、７Ｂ’が第１足指ないし第４足指末節骨ＤＰ１〜ＤＰ４の直下に対応する位置に配置されているので、蹴り出し時の荷重を効率よく各張出部７Ａ’、７Ｂ’に伝えることができる。
【００４９】
第２の実施例によれば、前記第１の実施例と同様に、トウガード７が設けられていることで、蹴り出し時の足のぶれをトウガード７により防止できる。
【００５０】
以上、本発明に好適な実施例について説明したが、本発明の適用はこれに限定されるものではなく、本発明には種々の変形例が含まれる。以下に変形例のいくつかの例を挙げておく。
【００５１】
＜第１の変形例＞
前記第１の実施例では、プレート状部材３として平面形状が異形のＭ字状のものを例にとって示したが（図１参照）、プレート状部材３の平面形状としては、これに限定されない。プレート状部材３として、第１足指（好ましくは第１足指末節骨）と少なくとも一部オーバラップする第１のプレート状部３Ａと、第２〜第４足指（好ましくは第２〜第４足指末節骨）と少なくとも一部オーバラップする第２のプレート状部３Ｂと、これらの間に配置される狭小部３Ｃとを有していれば、その他の任意の形状であってもよい。
【００５２】
＜第２の変形例＞
前記第１の実施例では、プレート状部材３が狭小部３Ｃを有している例を示したが、プレート状部材３としては、狭小部３Ｃがないものにも同様に適用可能である。この場合、プレート状部材３は、第１〜第４足指（好ましくは第１〜第４足指末節骨）と少なくとも一部オーバラップしつつ実質的に足幅方向に延設された孤状または帯状の部材から構成される。あるいは、プレート状部材３は、第１のプレート状部３Ａと、第１のプレート状部３との間に間隙を隔てて第１のプレート状部３から分離して配置されるとともに、第２〜第４足指（好ましくは第２〜第４足指末節骨）と少なくとも一部オーバラップする第２のプレート状部３Ｂとから構成される。
【００５３】
＜第３の変形例＞
前記第１の実施例では、ソール本体２の前端部にトウガード７が設けられた例を示したが、トウガード７は省略することも可能である。
【００５４】
＜第４の変形例＞
前記第１の実施例では、波形プレート６を設けるとともに当該波形プレート６の中足部領域にリブ６０を形成することで、ソール本体２の中足部領域Ｍの剛性に関し、当該ソール本体２の前足部内甲側〜踵部外甲側間における中足部剛性の方が、前足部外甲側〜踵部内甲側間における中足部剛性よりも低くなるようにし、さらに、ソール本体２の前足部内甲側〜踵部内甲側間における中足部剛性の方が、前足部外甲側〜踵部外甲側間における中足部剛性よりも低くなるようにした例を示したが、波形プレート６のかわりに平坦状プレートを用い、当該平坦状プレートにリブを形成するようにしてもよい。あるいは、ソール本体２の中足部領域Ｍにおいて、前記実施例のリブ６０に対応する領域にシャンク状部材を配置するようにしてもよい。
【００５５】
＜第５の変形例＞
前記第２の実施例では、各張出部７Ａ’、７Ｂ’の間に間隙が形成された例を示したが、これらの張出部７Ａ’、７Ｂ’は、間隙を介さずに一体に連設されていてもよい。この場合、各張出部７Ａ’、７Ｂ’の間には、狭小部が形成されていてもよく、また狭小部がなく、各張出部７Ａ’、７Ｂ’が孤状または帯状に連設されていてもよい。
【産業上の利用可能性】
【００５６】
以上のように、本発明は、スポーツシューズのソール構造に有用であり、とくに、インドアスポーツ（とりわけボールゲーム系のスポーツ）に好適のスポーツシューズであって、運動時の加速力および俊敏な動きを要求されるスポーツシューズに適している。
【符号の説明】
【００５７】
１：  ソール構造体
２：  ソール本体
２Ａ：  足裏当接側面
３：  プレート状部材
３Ａ：  第１のプレート状部
３Ｂ：  第２のプレート状部
３Ｃ：  狭小部
６０：  リブ
７：  トウガード
７Ａ、７Ｂ：  張出部
７Ａ’：  張出部（第１のプレート状部）
７Ｂ’：  張出部（第２のプレート状部）
ＤＰ１〜ＤＰ４：  第１〜第４足指末節骨
Ｆ：  前足部領域
Ｍ：  中足部領域
Ｈ：  踵部領域
【先行技術文献】
【特許文献】
【００５８】
【特許文献１】特許第３２１５６６４号公報（同公報の段落［００９１］ならびに図５ないし図７参照）
【図１】
0005902746.tif 000002
【図２】
0005902746.tif 000003
【図３】
0005902746.tif 000004
【図４】
0005902746.tif 000005
【図５】
0005902746.tif 000006
【図６】
0005902746.tif 000007
【図７】
0005902746.tif 000008
【図８】
0005902746.tif 000009
【図９】
0005902746.tif 000010
【図１０】
0005902746.tif 000011
【図１１】
0005902746.tif 000012
【図１２】
0005902746.tif 000013
【図１３】
0005902746.tif 000014